(57)【要約】【課題】  安定した性能を有する光ピックアップ装置及びこれを用いた光ディスク装置を実現する。【解決手段】  レーザ光を発光する発光素子と、第１の方向の偏光を略全透過するとともに当該第１の方向に対して直角方向の第２の方向の偏光を略全反射する特性を有し、レーザ光の一部を透過し出射レーザ光として光ディスクに入射させるとともに、当該レーザ光の残りを反射しモニタレーザ光として受光素子に入射させる偏光ビームスプリッタとを光ピックアップ装置に設け、偏光ビームスプリッタに入射するレーザ光の偏光方向と、第１の方向との間に所定の角度差を有するよう、発光素子及び偏光ビームスプリッタを設置したことにより、第１の方向の偏光を略全透過するとともに第２の方向の偏光を略全反射するような、その特性が安定している偏光ビームスプリッタを用いて、発光素子からのレーザ光を２つに分岐することができる。【選択図】        図４
2006351097.tif 000002
【特許請求の範囲】
【請求項１】
レーザ光を発光する発光素子と、
第１の方向の偏光を略全透過するとともに当該第１の方向に対して直角方向の第２の方向の偏光を略全反射する特性を有し、上記レーザ光の一部を透過し、出射レーザ光として光ディスクに入射させるとともに、当該レーザ光の残りを反射し、モニタレーザ光として受光素子に入射させる偏光ビームスプリッタと
を具え、
上記偏光ビームスプリッタに入射する上記レーザ光の偏光方向と、上記第１の方向との間に所定の角度差を有するよう、上記発光素子及び上記偏光ビームスプリッタが設置されている
ことを特徴とする光ピックアップ装置。
【請求項２】
上記偏光ビームスプリッタは、上記出射レーザ光が上記光ディスクで反射されてなる反射レーザ光を反射して上記受光素子に入射させる
ことを特徴とする請求項１に記載の光ピックアップ装置。
【請求項３】
上記偏光ビームスプリッタで反射された上記モニタレーザ光を反射して当該偏光ビームスプリッタに再入射させるミラーを具え、
上記偏光ビームスプリッタは、上記ミラーで反射された上記モニタレーザ光を略全反射して上記受光素子に入射させる
ことを特徴とする請求項１に記載の光ピックアップ装置。
【請求項４】
上記ミラーは、上記モニタレーザ光を集光して上記受光素子に入射させる
ことを特徴とする請求項４に記載の光ピックアップ装置。
【請求項５】
光ピックアップ装置を有する光ディスク装置において、
上記光ピックアップ装置は、
レーザ光を発光する発光素子と、
第１の方向の偏光を略全透過するとともに当該第１の方向に対して直角方向の第２の方向の偏光を略全反射する特性を有し、上記レーザ光の一部を透過し、出射レーザ光として光ディスクに入射させるとともに、当該レーザ光の残りを反射し、モニタレーザ光として受光素子に入射させる偏光ビームスプリッタと
を具え、
上記偏光ビームスプリッタに入射する上記レーザ光の偏光方向と、上記第１の方向との間に所定の角度差を有するよう、上記発光素子及び上記偏光ビームスプリッタが設置されている
ことを特徴とする光ディスク装置。
【発明の詳細な説明】
【技術分野】
【０００１】
本発明は、光ディスク装置で用いられる光ピックアップ装置に適用して好適なものである。
【背景技術】
【０００２】
従来、光ディスク装置においては、光ピックアップのレーザダイオードから出射されるレーザ光の光ビームを光ディスクに照射し、その反射光の光量変化に基づいて再生信号を得るとともに、レーザダイオードから出射された光ビームの一部を偏光ビームスプリッタ等の分光手段で分光して光量検出用の受光素子（これをモニタＰＤ（Photo Diode）と呼ぶ）に入射し、当該モニタＰＤから出力される光量検出信号に基づいて、レーザダイオードの発光パワーを一定に制御する（この制御をＡＰＣ（Automatic Power Control）と呼ぶ）ようになされている。
【０００３】
ここで、レーザダイオードから出射されるレーザ光は微細なパワー変動（レーザノイズ）を有しており、この影響によって再生信号にもレーザノイズ成分が含まれてしまうという問題がある。
【０００４】
かかる問題を解決するため、モニタＰＤの出力からレーザノイズに応じたＬＮＣ（Laser Noise Cancel）信号を生成し、当該ＬＮＣ信号を用いて再生信号のレーザノイズ成分をキャンセルする手法がある。
【０００５】
そして、このようなレーザノイズキャンセル手法を用いた光ピックアップにおいて、再生信号を生成するための再生ＰＤと、ＡＰＣやＬＮＣ信号を生成するためのモニタＰＤとを一つの受光素子上に設けることにより、両者の特性を一致させ、更に良好なレーザノイズキャンセルを行うようになされた光ピックアップも提案されている（例えば、特許文献１参照）。
【０００６】
図１２に示すように、光ピックアップ１００は、光源であるレーザダイオード１０１、コリメータレンズ１０２、偏光ビームスプリッタ１０３、１／４波長板１０４、対物レンズ１０５、集光レンズ１０６及び受光素子１０７を有している。受光素子１０７は、再生信号生成用の再生ＰＤ１０７Ａと、ＡＰＣ及びＬＮＣ信号生成用のモニタＰＤ１０７Ｂとを有している。
【０００７】
偏光ビームスプリッタ１０３は偏光反射面１０３Ａ及び全反射面１０８を有している。偏光反射面１０３Ａは、Ｐ偏光についてはその９０％を透過させるとともに残りの１０％を反射し、Ｓ偏光については全反射するように特性が選定されている。一方全反射面１０８は、光を偏光面に関わらず１００％反射するようになされている。また全反射面１０８は、光路に対する垂直面に対して僅かに傾斜して設けられている。
【０００８】
レーザダイオード１０１から出射されたＰ偏光のレーザ光は、コリメータレンズ１０２によって平行光線化され、偏光ビームスプリッタ１０３に入射する。
【０００９】
偏光ビームスプリッタ１０３の偏光反射面１０３Ａは、Ｐ偏光のレーザ光の１０％をモニタレーザ光として全反射面１０８の方向に反射するとともに、残りの９０％を透過して１／４波長板１０４に入射させる。
【００１０】
偏光ビームスプリッタ１０３の全反射面１０８は、偏光反射面１０３Ａで反射された１０％のモニタレーザ光を全反射し、再度偏光反射面１０３Ａに入射させる。この反射光もＰ偏光であるから、偏光反射面１０３Ａは当該モニタレーザ光の９０％を透過し、受光素子１０７のモニタＰＤ１０７Ｂに入射する。
【００１１】
一方１／４波長板１０４は、偏光反射面１０３Ａを透過してきたＰ偏光のレーザ光を円偏光に変換し、対物レンズ１０５を介して光ディスク１０５に照射する。そして対物レンズ１０５は、光ディスク１０５で反射された反射レーザ光を受光して１／４λ波長板１０４に入射させる。
【００１２】
１／４波長板１０４は、反射レーザ光を円偏光からＳ偏光に変換して偏光ビームスプリッタ１０３に入射する。
【００１３】
偏光ビームスプリッタ１０３の偏光反射面１０３Ａは、Ｓ偏光でなる反射レーザ光を全反射し、集光レンズ１０６を介して受光素子１０７の再生ＰＤ１０７Ａに入射する。
【００１４】
かくしてこの光ピックアップ１００では、偏光ビームスプリッタ１０３の偏光反射面１０３Ａで分岐されたモニタレーザ光を全反射面１０８で反射して当該偏光反射面１０３Ａに再入射することにより、当該モニタレーザ光の光軸と光ディスク１０９からの反射レーザ光の光軸とを略一致させて、両者を一つの受光素子１０７で受光するようになされている。
【特許文献１】特開２００５−００４８４８公報
【発明の開示】
【発明が解決しようとする課題】
【００１５】
上述したように偏光ビームスプリッタ１０３の偏光反射面１０３Ａは、Ｐ偏光の９０％を透過し残りの１０％を反射するような特性により、レーザダイオード１０１からのレーザ光を光ディスク１０９の方向と全反射面１０８の方向とに分岐するようになされている。
【００１６】
ところが、この偏光反射面１０３Ａの「９０％透過・１０％反射」のような一部透過特性を有する偏光反射面は、「Ｐ偏光を全透過・Ｓ偏光を全反射」するような偏光反射面に比べ、その透過率のバラツキが大きい。このため上述した構成の光ピックアップ１００では、レーザダイオード１０１からのレーザ光の光量と全反射面１０８の方向に分岐されたレーザ光の光量との比率が、個々の光ピックアップ１００で異なってしまうという問題がある。
【００１７】
また上述した構成の光ピックアップ１００では、モニタレーザ光はモニタＰＤ１０７Ｂに入射するまでに偏光ビームスプリッタ１０３の偏光反射面１０３Ａを２回通過（１回目反射、２回目透過）することになる。そして全反射面１０８からモニタＰＤ１０７Ｂへ入射する際の再透過時において、偏光反射面１０３Ａはモニタレーザ光の９０％のみを透過させることから、当該モニタレーザ光の光量が減少してしまい、レーザ光を効率的に利用することができないという問題があった。
【００１８】
また、上述したように一部透過特性を有する偏光反射面は透過率のバラツキが大きいことから、偏光反射面１０３Ａを２回通過するモニタレーザ光は透過率のバラツキの影響を２回受けることになり、これにより当該モニタレーザ光の光量のバラツキも大きくなってしまうという問題があった。
【００１９】
また、上述した偏光ビームスプリッタ１０３は平行光中に設置する必要があり、これにより光ピックアップが大型化してしまうという問題があった。
【００２０】
本発明は以上の点を考慮してなされたもので、安定した性能を有する光ピックアップ装置及びこれを用いた光ディスク装置を提案しようとするものである。
【課題を解決するための手段】
【００２１】
かかる課題を解決するため本発明においては、レーザ光を発光する発光素子と、第１の方向の偏光を略全透過するとともに当該第１の方向に対して直角方向の第２の方向の偏光を略全反射する特性を有し、レーザ光の一部を透過し出射レーザ光として光ディスクに入射させるとともに、当該レーザ光の残りを反射しモニタレーザ光として受光素子に入射させる偏光ビームスプリッタとを光ピックアップ装置に設け、偏光ビームスプリッタに入射するレーザ光の偏光方向と、第１の方向との間に所定の角度差を有するよう、発光素子及び偏光ビームスプリッタを設置した。
【００２２】
これにより、第１の方向の偏光を略全透過するとともに第２の方向の偏光を略全反射するような、その特性が安定している偏光ビームスプリッタを用いて、発光素子からのレーザ光を２つに分岐することができる。また、偏光ビームスプリッタを発散（集光）光中に設けることができ、これにより光ピックアップを小型化することができる。
【発明の効果】
【００２３】
本発明によれば、レーザ光を発光する発光素子と、第１の方向の偏光を略全透過するとともに当該第１の方向に対して直角方向の第２の方向の偏光を略全反射する特性を有し、レーザ光の一部を透過し出射レーザ光として光ディスクに入射させるとともに、当該レーザ光の残りを反射しモニタレーザ光として受光素子に入射させる偏光ビームスプリッタとを光ピックアップ装置に設け、偏光ビームスプリッタに入射するレーザ光の偏光方向と、第１の方向との間に所定の角度差を有するよう、発光素子及び偏光ビームスプリッタを設置したことにより、第１の方向の偏光を略全透過するとともに第２の方向の偏光を略全反射するような、その特性が安定している偏光ビームスプリッタを用いて、発光素子からのレーザ光を２つに分岐することができ、かくして、安定した性能を有する光ピックアップ装置及びこれを用いた光ディスク装置を実現することができる。
【発明を実施するための最良の形態】
【００２４】
以下図面について、本発明の一実施の形態を詳述する。
【実施例】
【００２５】
（１）光ディスク装置の全体構成
図１は、本発明を適用した光ディスク装置１を示し、制御部２が全体を統括制御するようになされている。制御部２はモータ３を制御して光ディスク４を回転駆動するとともに、光ピックアップ６を制御して光ディスク４に発射光ビームＬ１を照射する。光ピックアップ６は発射光ビームＬ１が光ディスク４で反射されてなる反射光ビームを検出して再生信号を生成し、これを生成処理部５に供給する。再生処理部５は再生信号に対して所定の信号処理を施した後外部に出力する。
【００２６】
（２）第１の実施の形態の光ピックアップ
図２は、本発明の第１の実施の形態の光ピックアップ６の構成を示し、光学集積素子７、コリメータレンズ８、１／４波長板９、及び対物レンズ１０が、例えばアルミダイキャスト成型品でなる図示しない光ピックアップベース（以下、これをＯＰベースと呼ぶ）にマウントされて構成されている。
【００２７】
光学集積素子７は、発光素子としてのレーザダイオード２５や立上ミラー２６を内蔵して封止したパッケージ１１に対して、各種光学部品が組み付けられて構成されている。すなわち、パッケージ１１の上面には、光ディスク４で反射された反射レーザ光から再生信号や各種サーボエラー信号を得るための受光素子１２が取り付けられているとともに、回折格子１４Ａやホログラム１４Ｂを有するモールド複合素子１４がスペーサ１３を介して取り付けられている。
【００２８】
さらにモールド複合素子１４の上面には、複数個のプリズムを組み合わせて構成された積層プリズム２０が取り付けられているともに、当該積層プリズム２０の側方には、後述するモニタレーザ光を反射及び収束するための集光ミラー１７が設けられている。
【００２９】
この集光ミラー１７は内面に凹面の反射面を有した内面反射型の凹面鏡であり、凸レンズを用いる場合に比べて小サイズで大きな収束率を得ることができるとともに、部品公差や組立誤差等による収束のバラツキを小さくすることができる。この場合の集光ミラー１７の曲率半径は、レーザ発光点から集光ミラー１７までの光学距離の１．５〜１．７倍程度に設定すれば、モニタレーザ光を良好に収束することができる。
【００３０】
パッケージ１１は、レーザダイオード２５が発光したレーザ光を立上ミラー２６によって上方へ反射し、図示しない出射孔及びモールド複合素子１４を介して積層プリズム２１のＰＢＳ（偏光ビームスプリッタ）２１Ａに入射させる。
【００３１】
このＰＢＳ２１Ａは、第１の方向の偏光としてのＰ偏光を略１００％透過（全透過）するとともに、第２の方向の偏光としてのＳ偏光を略１００％反射（全反射）するような特性を有する偏光反射面である。一方パッケージ１１から出射されるレーザ光は、その偏光方向がＰＢＳ２１ＡのＰ偏光方向に対して所定角度（この場合２０°）だけ回転した方向になるように、レーザダイオード２５及び立上ミラー２６の設置方向が選定されている（図３）。
【００３２】
このように、第１の方向としてのＰＢＳ２１ＡのＰ偏光方向（これを偏光基準方向と呼ぶ）とレーザ光の偏光方向とに２０°の角度差があることから、当該ＰＢＳ２１Ａはレーザ光におけるＰ偏光成分（約８８％）を透過し、出射レーザ光としてコリメータレンズ８に入射させる。
【００３３】
コリメータレンズ８は、ＰＢＳ２１Ａを透過してきた出射レーザ光を発散光から平行光へと変換し、さらに１／４波長板９によってＰ偏光から円偏光へと変換して対物レンズ１０に入射する。対物レンズ１０は出射レーザ光を集光して光ディスク４に照射する。
【００３４】
また対物レンズ１０は、出射レーザ光が光ディスク４で照射されてなる反射レーザ光を集光し、さらに１／４波長板９で円偏光からＳ偏光へと変換してコリメータレンズ８に入射させる。コリメータレンズ８は、反射レーザ光を平行光から収束光へと変換して積層プリズム２０へと入射させる。
【００３５】
図４（Ａ）に示すように、積層プリズム２０のＰＢＳ２１Ａは、コリメータレンズ８からのＳ偏光でなる反射レーザ光を１００％反射してハーフミラー２１Ｂに入射させる。ハーフミラー２１Ｂは、ＰＢＳ２１Ａからの反射レーザ光の一部を９０度反射してホログラム１４Ｂに入射し、当該ホログラム１４Ｂによって回折される＋１次光及び−１次光とを、受光素子１２のフォーカスエラー信号用ＰＤ１２Ａ（図５）に入射させる。またハーフミラー２１Ｂは、反射レーザ光の残りを透過し、全反射ミラー２１Ｃを介して受光素子１２の再生ＰＤ１２Ｂに入射させる。
【００３６】
受光素子１２は、フォーカスエラー信号用ＰＤ１２Ａに入射した反射レーザ光に基づいてフォーカスエラー信号を生成するとともに、再生ＰＤ１２Ｂに入射した反射レーザ光に基づいて再生信号やトラッキングエラー信号を生成し、これらを光ディスク装置１の制御部２（図１）に供給する。
【００３７】
また積層プリズム２１のＰＢＳ２１Ａは、図４（Ｂ）に示すように、パッケージ１１からの出射レーザ光におけるＳ偏光成分（約１２％）を反射し、Ｓ偏光でなるモニタレーザ光として集光ミラー１７に入射させる。集光ミラー１７はモニタレーザ光を反射して収束光に変換し、ＰＢＳ２１Ａに再入射させる。ここで、集光ミラー１７の光軸はＰＢＳ２１Ａの光軸に対して若干傾けて設けられていることから、当該集光ミラー１７で反射されたモニタレーザ光はＰＢＳ２１Ａに対し若干の角度を持って入射する。
【００３８】
そしてＰＢＳ２１Ａは、モニタレーザ光をその偏光面（Ｓ偏光）に応じて全反射し、受光素子１２のモニタＰＤ１２Ｃ（図５）に入射させる。受光素子１２は、モニタＰＤ１２Ｃに入射したモニタレーザ光の光量に基づいてＡＰＣ信号及びＬＮＣ信号を生成し、これらを光ディスク装置１の制御部２（図１）に供給する。
【００３９】
このように光ピックアップ６は、反射レーザ光及びモニタレーザ光を同一の受光素子１２で検出して各種信号を生成することにより、部品点数の削減、光学集積素子７及び光ピックアップ６の小型化、レーザノイズキャンセル特性の向上等の効果が得られる。
【００４０】
以上の構成において、光ピックアップ６は、レーザダイオード２５から出射されるレーザ光を、Ｐ偏光を全透過するとともにＳ偏光を全反射するＰＢＳ２１Ａに対し、その偏光方向が当該ＰＢＳ２１Ａの偏光基準方向に対し２０°の角度をなすようにして入射させる。
【００４１】
ＰＢＳ２１Ａはレーザ光の約８８％をＰ偏光の出射レーザ光として透過し、光ディスク４に導くとともに、光ディスク４によって反射されてきたＳ偏光でなる反射レーザ光を全反射し、ハーフミラー２１Ｂ及び全反射ミラー２１Ｃを介して受光素子１２に入射させる。またＰＢＳ２１Ａは、レーザ光の約１２％をＳ偏光のモニタレーザ光として反射し、さらに集光ミラー１７で反射されたモニタレーザ光を全反射して受光素子１２に導く。
【００４２】
このように光ピックアップ６は、ＰＢＳ２１Ａに対して偏光方向に角度を持たせてレーザ光を入射させることにより、「Ｐ偏光を全透過・Ｓ偏光を全反射」する偏光反射面を用いて、出射レーザ光とモニタレーザ光とに分岐することができる。
【００４３】
このような「Ｐ偏光を全透過・Ｓ偏光を全反射」する偏光反射面は、従来の光ピックアップ１００（図１２）で用いていた一部透過特性を有する偏光反射面に比べて透過率のバラツキが少ないことから、個々の光ピックアップ６における出射レーザ光とモニタレーザ光との比率を安定させることができ、ひいては光ピックアップ６の性能を安定させることができる。
【００４４】
また光ピックアップ６は、「Ｐ偏光を全透過・Ｓ偏光を全反射」するＰＢＳ２１Ａを用いていることから、それぞれＳ偏光でなる反射レーザ光及びモニタレーザ光の全光量を当該ＰＢＳ２１Ａで反射して受光素子１２に入射できるため、レーザダイオード２５が出射するレーザ光の全てを有効利用できる。そして、このようなレーザ光の利用効率向上により、レーザダイオード２５の低出力化や超寿命化、消費電力や発熱の低減、光学集積素子及び光ピックアップ６の小型化等が実現できる。
【００４５】
また光ピックアップ６は、コリメータレンズ８によって平行光化される前の発散光でなるレーザからモニタレーザ光を分岐し、これをそのまま集光ミラー１７で集光して受光素子１２に入射しており、このため光学集積素子７の内部でモニタレーザ光を扱うことができ、これにより光学集積素子７及び光ピックアップ６の小型化が実現できるとともに、製造における光ピックアップ６の光軸調整が簡単になるという利点もある。
【００４６】
すなわち光学集積素子７の製造時、レーザダイオード２５、受光素子１２、モールド複合素子１４、積層プリズム２０及び集光ミラー１７を要求精度内で相互に固定して一体化しておけば、光ピックアップ６の光軸調整を行う際には、反射レーザ光に基づいて、レンズ系と光学集積素子７との位置合わせを行うだけで、モニタレーザ光についての光軸調整も完了する。
【００４７】
以上の構成によれば、ＰＢＳ２１に入射するレーザ光の偏光方向と、当該ＰＢＳ２１Ａの偏光基準方向とに所定の角度差を設けることにより、安定した特性を有する「Ｐ偏光を全透過・Ｓ偏光を全反射」する偏光反射面を用いてＰＢＳ２１Ａを構成することができ、これにより光ピックアップ６の性能を安定させることができる。
【００４８】
なお上述の実施の形態においては、集光ミラー１７として内面凹面鏡を用いたが、本発明はこれに限らず、図３との対応部分に同一符号を付して示す図６の光学集積素子３０のように、表面凹面鏡でなる集光ミラー３１を用いてもよい。
【００４９】
内面凹面鏡でなる集光ミラー１７では、反射面に相対する面（入射面）に表面反射等を防止するためのコーティングが必要であるが、当該コーティングによってモニタレーザ光の若干の損失が生じ、モニタレーザ光が当該集光ミラー１７の内部を透過するため、これによってもモニタレーザ光の損失が生じるのに対し、表面凹面鏡でなる集光ミラー３１ではこれらの損失が無く、レーザ光の利用効率をさらに向上することができる。
【００５０】
さらに上述の実施の形態においては、ＰＢＳ２１に入射するレーザ光の偏光方向と、当該ＰＢＳ２１Ａの偏光基準方向とに所定の角度差をなすように、レーザダイオード２５及び立上ミラー２６の設置方向が選定したが、本発明はこれに限らず、レーザダイオード２５と複合プリズム２０との間でレーザ光の偏光方向を回転させて、ＰＢＳ２１に入射するレーザ光の偏光方向とＰＢＳ２１Ａの偏光基準方向とに角度差を設けるようにしてもよい。
【００５１】
すなわち、図３との対応部分に同一符号を付して示す図７の光学集積素子４０は、パッケージ１１のレーザ光出射部分に１／２波長板４１を有しており、この１／２波長板４１を回転させることで、ＰＢＳ２１に入射するレーザ光の偏光方向を変更することができる。これにより光学集積素子４０では、レーザダイオード２５及び立上ミラー２６の設置方向を自由に設定することができ、これはパッケージ１１の設計上の利点となる。
【００５２】
（３）第２の実施の形態の光ピックアップ
次に、本発明の第２の実施の形態の光ピックアップについて説明する。この第２の実施の形態の光ピックアップは、光学集積素子の構成以外は図２に示した第１の実施の形態の光ピックアップ６と同一であるため、光ピックアップ全体についての説明は省略する。
【００５３】
図３との対応部分に同一符号を付して示す図８において、５０は本発明の第２の実施の形態の光ピックアップで用いられる光学集積素子を示し、反射ミラー１７を有さないとともに、パッケージ１１とモールド複合素子１４の間にサブプリズム５１が設けられ、さらに受光素子５２の構成が異なる以外は、図３の光学集積素子７と同一の構造を有している。
【００５４】
サブプリズム５１は、複合プリズム２０のＰＢＳ２１Ａと同じ「Ｐ偏光を全透過・Ｓ偏光を全反射」する特性を有するＰＢＳ５１Ａと、全反射ミラー５１Ｂとを有している。そして光学集積素子５０においては、サブプリズム５１のＰＢＳ５１Ａの偏光基準方向と複合プリズム２０のＰＢＳ２１Ａの偏光基準方向とが一致するとともに、第１の実施の形態と同様、この偏光基準方向とパッケージ１１から出射されるレーザ光の偏光方向とに２０°の角度差を設けている。
【００５５】
パッケージ１１から出射されたレーザ光は、まずサブプリズム５１のＰＢＳ５１Ａに入射する。ＰＢＳ５１Ａは、図８（Ａ）に示すようにレーザ光におけるＰ偏光成分（約８８％）を透過し出射レーザ光として複合プリズム２０のＰＢＳ２１Ａに入射する。ＰＢＳ２１Ａは、Ｐ偏光でなる出射レーザ光をその偏光面に応じて全透過し、図示しないコリメータレンズ、１／４波長板及び対物レンズを介して光ディスクに照射する。
【００５６】
そしてＰＢＳ２１Ａは、光ディスクからのＳ偏光でなる反射レーザ光をその偏光面に応じて全反射し、その一部を、ハーフミラー２１Ｂを介して受光素子５２のフォーカスエラー信号用ＰＤ５２Ａ（図９）に入射させる。またハーフミラー２１Ｂは、反射レーザ光の残りを透過し、全反射ミラー２１Ｃを介して受光素子５２の再生ＰＤ５２Ｂに入射させる。
【００５７】
受光素子５２は、フォーカスエラー信号用ＰＤ５２Ａに入射した反射レーザ光に基づいてフォーカスエラー信号を生成するとともに、再生ＰＤ５２Ｂに入射した反射レーザ光に基づいて再生信号やトラッキングエラー信号を生成し、これらを光ディスク装置の制御部（図示せず）に供給する。
【００５８】
またサブプリズム５１のＰＢＳ５１Ａは、図８（Ｂ）に示すように、レーザ光におけるＳ偏光成分（約１２％）を反射し、全反射ミラー５１Ｂを介して受光素子５２のモニタＰＤ５２Ｃ（図９）に入射させる。受光素子５２は、モニタＰＤ５２Ｃに入射したモニタレーザ光の光量に基づいてＡＰＣ信号及びＬＮＣ信号を生成し、これらを光ディスク装置の制御部に供給する。
【００５９】
以上の構成において、光学集積素子５０は、パッケージ１１からのレーザ光の出射直後の位置でサブプリズム５１によってモニタレーザ光を分岐し、これを発散光のままモニタＰＤ５２Ｃに入射させる。これにより、モニタレーザ光を複合プリズムのＰＢＳに戻すための反射ミラーが不要となり、光学集積素子５０全体をさらに小型化できる。
【００６０】
また図９に示すように、受光素子５２はフォーカスエラー信号用ＰＤ５２Ａと再生ＰＤ５２Ｂとの軸線上にモニタＰＤ５２Ｃを設けることができるため、図５に示す第１の実施の形態の受光素子１２に比べてその幅を削減でき、これにより光学複合素子５０全体を小型化できる。
【００６１】
なお上述の実施の形態においては、ＰＢＳ５１Ａ及び全反射ミラー５１Ｂを有するサブプリズム５１を用いるようにしたが、図１０に示す光学集積素子６０のように、ＰＢＳ６１Ａのみを有するサブプリズム６１を用いてもよい。
【００６２】
この場合サブプリズム６１は、ＰＢＳ６１Ａで反射した光を受光素子１２に戻すための反射ミラーが不要となり、光学集積素子５０全体をさらに小型化できる。
【００６３】
このサブプリズム６１は、ＰＢＳ６１Ａで反射したモニタレーザ光を当該サブプリズム６１の側面６１Ｂで屈折させて受光素子５２に入射させる。この場合、サブプリズム６１の構造が簡素となるという利点がある。
【００６４】
（４）他の実施の形態
なお上述した第１及び第２の実施の形態においては、レーザダイオードからのレーザ光の偏光方向がＰＢＳの偏光基準方向に対して２０°の角度差をなすようにしたが、本発明はこれに限らず、要求される出射レーザ光とモニタレーザ光との比率に応じて、この角度差を適宜変更してかまわない。
【００６５】
また上述の第１及び第２の実施の形態においては、レーザダイオードからのレーザ光を立上ミラーで光ディスク方向へ立ち上げるようにし、当該レーザ光の偏光方向がＰＢＳの偏光基準方向に対して所定の角度差をなすようにレーザダイオード及び立上ミラーの設置方向が選定するようにしたが、本発明はこれに限らず、図１１（Ａ）に示すように、レーザダイオード２５から出射されたレーザ光をそのままパッケージ１１から出射するようにしてもよい。この場合図１１（Ｂ）に示すように、レーザダイオード２５を保持するヒートシンク２７に適切な角度を設けることで、レーザ光の偏光方向がＰＢＳの偏光基準方向に対して所定の角度差をなすようにレーザダイオード２５を設置することができる。
【産業上の利用可能性】
【００６６】
本発明は、ＣＤ（Compact Disc）、ＤＶＤ（Digital Versatile Disc）、Ｂｌｕ−ｒａｙ  Ｄｉｓｃ等の各種光ディスク装置に適用できる。
【図面の簡単な説明】
【００６７】
【図１】光ディスク装置の全体構成を示すブロック図である。
【図２】本発明の光ピックアップの構成を示す略線図である。
【図３】レーザ光及びＰＢＳの偏光方向の説明に供する略線図である。
【図４】第１の実施の形態の光学集積素子を示す略線図である。
【図５】第１の実施の形態の受光素子の構成を示す略線図である。
【図６】表面凹面鏡を用いた光学集積素子内を示す略線図である。
【図７】他の実施の形態のパッケージの構成を示す斜視図である。
【図８】第２の実施の形態の光学集積素子を示す略線図である。
【図９】第２の実施の形態の受光素子を示す略線図である。
【図１０】ＰＢＳのみを有するサブプリズムを用いた光学集積素子を示す略線図である。
【図１１】他の実施の形態によるレーザダイオードの設置方法を示す略線図である。
【図１２】従来の光ピックアップの構成を示す略線図である。
【符号の説明】
【００６８】
１……光ディスク装置、２……制御部、３……モータ、４……光ディスク、５……再生処理部、６……光ピックアップ、７、３０、４０、５０、６０……光学集積素子、８……コリメータレンズ、９……１／４波長板、１０……対物レンズ、１１、３１……パッケージ、１２……受光素子、１３……スペーサ、１４……モールド複合素子、１７、３１……反射ミラー、２０……積層プリズム、２１Ａ……ＰＢＳ、２１Ｂ……ハーフミラー、２１Ｃ……全反射ミラー、２５……レーザダイオード、２６……立ち上げミラー、５１……サブプリズム。
【図１】
2006351097.tif 000003
【図２】
2006351097.tif 000004
【図３】
2006351097.tif 000005
【図４】
2006351097.tif 000006
【図５】
2006351097.tif 000007
【図６】
2006351097.tif 000008
【図７】
2006351097.tif 000009
【図８】
2006351097.tif 000010
【図９】
2006351097.tif 000011
【図１０】
2006351097.tif 000012
【図１１】
2006351097.tif 000013
【図１２】
2006351097.tif 000014